(57)【要約】【課題】光ファイバーの先端から直進するレーザー光を前方のみならず全周囲方向へ照射し、周囲組織に対する効率的な照射が行える共に、更に不必要な熱エネルギーを抑制することができ、組織侵襲性をコントロールして口腔内の硬軟両組織の治療に用いる。【解決手段】レーザー光を出射する光源部を内蔵した装置本体２と、光源部からのレーザー光を、被治療部へ導光する光ファイバー３と、ファイバー３の先端部分に、その先端形状を略円錐形状、略切頭円錐形状に加工するために金属・金属酸化物細粒子（酸化チタン）の懸濁液を吐出する吐出部７と、吐出部７に懸濁液を供給する懸濁液供給部８とを備えた。【選択図】図１
2010068880.tif 000002
【特許請求の範囲】
【請求項１】
レーザー光を用いて歯科治療を行う際に、レーザー光の照射形状を可変し得るように光ファイバーの先端加工を伴う歯科用レーザー治療装置であって、
レーザー光を出射する光源部を内蔵した装置本体（２）と、
前記光源部からのレーザー光を、被治療部へ導光する光ファイバー（３）と、
前記光ファイバー（３）の先端部分に、その先端形状を略円錐形状、略切頭円錐形状に加工するために金属・金属酸化物細粒子の懸濁液を吐出する吐出部（７）と、
前記吐出部（７）に前記懸濁液を供給する懸濁液供給部（８）と、を備えた、ことを特徴とする光ファイバーの先端加工を伴う歯科用レーザー治療装置。
【請求項２】
前記吐出部（７）から光ファイバー（３）の先端部分に吐出する懸濁液は、酸化チタンの細粒子を精製水に分散させた懸濁液である、ことを特徴とする請求項１の光ファイバーの先端加工を伴う歯科用レーザー治療装置。
【請求項３】
前記光ファイバー（３）の先端部分に冷却風を当てる送気口を設けた、ことを特徴とする請求項１の光ファイバーの先端加工を伴う歯科用レーザー治療装置。
【請求項４】
レーザー光を用いて歯科治療を行う際に、そのレーザー光を先端から直進するレーザー光を前方のみならず全周囲方向へ照射するように、光ファイバーの先端を加工する光ファイバーの先端加工方法であって、
装置本体（２）内の光源部よりレーザー光を光ファイバー（３）から出射し、該光ファイバー（３）の先端部分に金属・金属酸化物細粒子の懸濁液を流しながら、該先端部分を略円錐形状、略切頭円錐形状に加工する、ことを特徴とする歯科用レーザー治療装置における光ファイバーの先端加工方法。
【請求項５】
前記光ファイバー（３）の先端部分に流す金属・金属酸化物細粒子の懸濁液について、その濃度を可変して該光ファイバー（３）の先端部分を加工する、ことを特徴とする請求項４の歯科用レーザー治療装置における光ファイバーの先端加工方法。
【請求項６】
レーザー光を用いて歯科治療を行う際に、レーザー光の照射形状を可変し得るように光ファイバーの先端加工を伴う歯科用レーザー治療システムであって、
レーザー光を出射する光源部と、該光源部からのレーザー光を導光する光ファイバーとから成るレーザー治療装置（１）と、
前記光ファイバー（３）の先端形状を略円錐形状、略切頭円錐形状に加工するために、光ファイバー（３）の先端部分に金属・金属酸化物細粒子の懸濁液を吐出する吐出部（７）と、その懸濁液を供給する懸濁液供給部（８）とから成る光ファイバー先端部加工装置と、から成り、
前記レーザー治療装置（１）と光ファイバー先端部加工装置に関し、パルス幅（μｓ）、光ファイバー（３）の先端出力（ｋＷ）とエネルギー（ｍＪ）及びパルス周波数（ｐｐｓ）に関する照射条件と、該光ファイバー（３）の先端形状の加工の有無との組み合わせから成るモードを数段階に設定し、治療内容に応じて口腔の硬軟両組織に適するモードで該光ファイバー（３）を照射する、ことを特徴とする光ファイバーの先端加工を伴う歯科用レーザー治療システム。
【請求項７】
前記照射条件に関するモードを、５段階のモード１、モード２、モード３、モード４、モード５に設定し、
前記モード１は、レーザー光のパルス幅（μｓ）、光ファイバー（３）の先端出力（ｋＷ）、エネルギー（ｍＪ）及びパルス周波数（ｐｐｓ）に関する照射条件を一定に設定し、光ファイバー（３）の先端を加工して組織侵襲性をコントロールしたレーザー光を、主に「歯肉切開」に利用するモードであり、
前記モード２は、レーザー光の照射による侵襲作用がモード１より大きく、光ファイバー（３）の先端を加工して、組織侵襲性をコントロールしたレーザー光を、主に「齲蝕歯・知覚過敏」の鈍麻処置、「根管治療（閉鎖空間）」、「歯周病の歯肉縁上（開放空間）の治療」、「口内炎」、「歯肉切開」又は「瘻孔内照射（閉鎖空間）」に利用するモードであり、
前記モード３は、レーザー光の照射による侵襲作用がモード２より大きく、光ファイバー（３）の先端を加工して、組織侵襲性をコントロールしたレーザー光を、主に「齲蝕歯・知覚過敏の鈍麻処置」、「歯周病の歯肉縁下（開放空間）の治療」に利用するモードであり、
前記モード４は、レーザー光の照射による侵襲作用がモード３より大きく、加工前の光ファイバー（３）では、主に「齲蝕歯・知覚過敏の鈍麻処置」にそのレーザー光を利用し、
光ファイバー（３）の先端を加工して、組織侵襲性をコントロールしたレーザー光は、主に「知覚過敏」、「止血作用」、「痛みの強い口内炎」又は「疼痛の緩解」に利用するモードであり、
前記モード５は、レーザー光の照射による侵襲作用がモード３より大きく、加工前の光ファイバー（３）では、主に「コア・ポストの除去」にそのレーザー光を利用し、光ファイバー（３）を加工して、組織侵襲性をコントロールしたレーザー光は、主に「止血作用」に利用するモードである、ことを特徴とする請求項６の光ファイバーの先端加工を伴う歯科用レーザー治療システム。
【発明の詳細な説明】
【技術分野】
【０００１】
本発明は、レーザー光を用いた歯科治療装置に係り、特に口腔内の硬軟両組織の治療の際に同時に用いることができる光ファイバーの先端加工を伴う歯科用レーザー治療装置、その先端加工方法及びその治療システムに関する。
【背景技術】
【０００２】
レーザー光を用いた治療装置は、歯科、医科の治療に広く利用されている。レーザー光用いた治療装置は、麻酔なしで痛みがほとんどなく、出血も少量であり、治療期間も短縮され、殺菌効果も高いという特徴を有する。レーザー光を用いた治療装置は、歯科臨床においては既に適応症や治療術式が確立されつつある。しかし、術者の技術面の優劣、用いる治療装置の機種・装備により、治療の有効性にかなりの差異が生じていた。
【０００３】
治療装置の機種について、例えば歯牙などの硬い組織の治療にはエルビュームＹＡＧレーザーが使用されている。また、歯周病の治療では、歯周ポケットに溜まった歯石や細菌を除去、殺菌する際に、エルビュームレーザーが使用されている。このときは、歯周ポケット入口の歯肉をめくって照射したり、直接歯周ポケットに器具を挿入して照射している。
【０００４】
一方、歯肉のような軟らかい組織の治療には、例えばＮｄ：ＹＡＧレーザー（ネオジュームＹＡＧレーザー）が使用されている。これは進行した歯周病で歯肉に溜まった膿を一気に蒸散させて殺菌できる特徴がある。
【０００５】
このようにレーザー光を用いて歯の治療をする技術が種々提案されている。例えば特許文献１の特開２００４−２４２８４１公報「歯科用レーザー治療装置および歯科用レーザー治療システム」のように、レーザー光源を含む本体と、前記本体よりレーザー光を導光する光ファイバーと、前記光ファイバーに接続されたハンドピースと、前記本体に接続されたレーザー光の照射のためのスイッチ手段と、患部に放出する染料を格納する染料格納部と、放出された前記染料の一部を除去するための液体を格納する液体格納部とを有する歯科用レーザー治療装置が提案されている。
【特許文献１】特開２００４−２４２８４１公報
【発明の開示】
【発明が解決しようとする課題】
【０００６】
レーザー光を用いた治療では、術者の技術が未熟であると、治療部位の組織内の温度が上昇して苦痛が生じることがあった。更に、最悪の時は不要な箇所を切開し、歯肉組織を破壊するという不具合もあった。例えば、上述したＮｄ：ＹＡＧレーザーは、波長特性による組織深達性が高く、深部組織温度の上昇、なかでも歯髄への為害作用が心配されてきた。そのため、高出力レーザーのエネルギーをいかに活用しつつリスク因子をコントロールするかが重要となっている。即ち、Ｎｄ：ＹＡＧレーザーの特性である吸収と散乱を活かしながら、組織侵襲性をコントロールするシステムを開発することが必要となる。
【０００７】
そこで、本発明の発明者は、レーザー光の組織侵襲性を容易にコントロールすることに着目した。光ファイバーの先端を加工することにより、先端から直進するレーザー光を前方のみならず全周囲方向へ照射するようになる。そこで、前方へ直進するレーザー光と、全周囲方向へ照射できるレーザー光と２種類のレーザー光を使い分け、組織侵襲性をコントロールすることに着目した。
【０００８】
なお、特許文献１の「歯科用レーザー治療装置および歯科用レーザー治療システム」は、染料を用いて効率良く歯石を除去することはできるが、本発明が課題にしているレーザー光の組織侵襲性をコントロールするものではなかった。
【０００９】
本発明は、かかる問題点を解決するために創案されたものである。すなわち、本発明の目的は、光ファイバーの先端を治療と同時に加工することで、光ファイバーの先端から直進するレーザー光を前方のみならず全周囲方向へ照射し、周囲組織に対する効率的な照射が行える共に、更に不必要な熱エネルギーを抑制することができ、組織侵襲性をコントロールして口腔内の硬軟両組織の治療に用いることができる光ファイバーの先端加工を伴う歯科用レーザー治療装置、その先端加工方法及びその治療システムを提供することにある。
【課題を解決するための手段】
【００１０】
本発明の治療装置によれば、レーザー光を用いて歯科治療を行う際に、レーザー光の照射形状を可変し得るように光ファイバーの先端加工を伴う歯科用レーザー治療装置であって、レーザー光を出射する光源部を内蔵した装置本体（２）と、前記光源部からのレーザー光を、被治療部へ導光する光ファイバー（３）と、前記光ファイバー（３）の先端部分に、その先端形状を略円錐形状、略切頭円錐形状に加工するために金属・金属酸化物細粒子の懸濁液を吐出する吐出部（７）と、前記吐出部（７）に前記懸濁液を供給する懸濁液供給部（８）と、を備えた、ことを特徴とする光ファイバーの先端加工を伴う歯科用レーザー治療装置が提供される。
例えば、前記吐出部（７）から光ファイバー（３）の先端部分に吐出する懸濁液は、酸化チタンの細粒子を精製水に分散させた懸濁液である。
前記光ファイバー（３）の先端部分に冷却風を当てる送気口を設けることができる。
【００１１】
本発明の加工方法によれば、レーザー光を用いて歯科治療を行う際に、そのレーザー光を先端から直進するレーザー光を前方のみならず全周囲方向へ照射するように、光ファイバーの先端を加工する光ファイバーの先端加工方法であって、装置本体（２）内の光源部よりレーザー光を光ファイバー（３）から出射し、該光ファイバー（３）の先端部分に金属・金属酸化物細粒子の懸濁液を流しながら、該先端部分を略円錐形状、略切頭円錐形状に加工する、ことを特徴とする歯科用レーザー治療装置における光ファイバーの先端加工方法が提供される。
例えば、前記光ファイバー（３）の先端部分に流す金属・金属酸化物細粒子の懸濁液について、その濃度を可変して該光ファイバー（３）の先端部分を加工することができる。
【００１２】
本発明の治療システムによれば、レーザー光を用いて歯科治療を行う際に、レーザー光の照射形状を可変し得るように光ファイバーの先端加工を伴う歯科用レーザー治療システムであって、レーザー光を出射する光源部と、該光源部からのレーザー光を導光する光ファイバーとから成るレーザー治療装置（１）と、前記光ファイバー（３）の先端形状を略円錐形状、略切頭円錐形状に加工するために、光ファイバー（３）の先端部分に金属・金属酸化物細粒子の懸濁液を吐出する吐出部（７）と、その懸濁液を供給する懸濁液供給部（８）とから成る光ファイバー先端部加工装置と、から成り、前記レーザー治療装置（１）と光ファイバー先端部加工装置に関し、パルス幅（μｓ）、光ファイバー（３）の先端出力（ｋＷ）とエネルギー（ｍＪ）及びパルス周波数（ｐｐｓ）に関する照射条件と、該光ファイバー（３）の先端形状の加工の有無との組み合わせから成るモードを数段階に設定し、治療内容に応じて口腔の硬軟両組織に適するモードで該光ファイバー（３）を照射する、ことを特徴とする光ファイバーの先端加工を伴う歯科用レーザー治療システムが提供される。
【００１３】
例えば、前記照射条件に関するモードは、５段階のモード１、モード２、モード３、モード４、モード５に設定し、前記モード１は、レーザー光のパルス幅（μｓ）、光ファイバー（３）の先端出力（ｋＷ）、エネルギー（ｍＪ）及びパルス周波数（ｐｐｓ）に関する照射条件を一定に設定し、光ファイバー（３）の先端を加工して組織侵襲性をコントロールしたレーザー光を、主に「歯肉切開」に利用するモードであり、前記モード２は、レーザー光の照射による侵襲作用がモード１より大きく、光ファイバー（３）の先端を加工して、組織侵襲性をコントロールしたレーザー光を、主に「齲蝕歯・知覚過敏」の鈍麻処置、「根管治療（閉鎖空間）」、「歯周病の歯肉縁上（開放空間）の治療」、「口内炎」、「歯肉切開」又は「瘻孔内照射（閉鎖空間）」に利用するモードであり、前記モード３は、レーザー光の照射による侵襲作用がモード２より大きく、光ファイバー（３）の先端を加工して、組織侵襲性をコントロールしたレーザー光を、主に「齲蝕歯・知覚過敏の鈍麻処置」、「歯周病の歯肉縁下（開放空間）の治療」に利用するモードであり、前記モード４は、レーザー光の照射による侵襲作用がモード３より大きく、加工前の光ファイバー（３）では、主に「齲蝕歯・知覚過敏の鈍麻処置」にそのレーザー光を利用し、光ファイバー（３）の先端を加工して、組織侵襲性をコントロールしたレーザー光は、主に「知覚過敏」、「止血作用」、「痛みの強い口内炎」又は「疼痛の緩解」に利用するモードであり、前記モード５は、レーザー光の照射による侵襲作用がモード３より大きく、加工前の光ファイバー（３）では、主に「コア・ポストの除去」にそのレーザー光を利用し、光ファイバー（３）を加工して、組織侵襲性をコントロールしたレーザー光は、主に「止血作用」に利用するモードである。
【００１４】
本発明の治療方法によれば、レーザー光の照射形状を先端から直進するレーザー光を前方のみならず全周囲方向へ照射するように光ファイバーの先端を加工を伴う歯科用レーザー治療装置を用いる歯科治療方法であって、コア・ポストの除去、知覚過敏（ＨＹＳ）、止血、痛みの強い口内炎又は疼痛の緩解については、直進するレーザー光を用いて治療を行ない、齲蝕歯・知覚過敏の鈍麻処置（Ｃ，ＨＹＳ処）、根管治療（ＲＣＴ）（閉鎖空間）、歯周病の歯肉縁上（開放空間）の治療、口内炎、歯肉切開又は瘻孔内照射（閉鎖空間）については、全周囲方向へ照射するレーザー光を用いて治療を行なう、ことを特徴とする光ファイバーの先端加工を伴う歯科用レーザー治療装置を用いた治療方法が提供される。
【００１５】
例えば、レーザー光の照射形状を先端から直進するレーザー光を前方のみならず全周囲方向へ照射するように光ファイバーの先端を加工を伴う歯科用レーザー治療装置を用いて、失活歯の歯肉縁下齲蝕歯について歯肉の切除を伴う治療方法であって、先ず、歯肉縁下齲蝕歯について、直進するレーザー光を用いて鈍麻を行ない、次に、全周囲方向へ照射するレーザー光を用いて歯肉を切除し、最後に、同じく全周囲方向へ照射するレーザー光を用いて歯肉切除と歯周ポケット内の殺菌を行なう治療方法がある。
【００１６】
また、レーザー光の照射形状を先端から直進するレーザー光を前方のみならず全周囲方向へ照射するように光ファイバーの先端を加工を伴う歯科用レーザー治療装置を用いて、生活歯の歯肉縁下齲蝕歯について歯肉の切除を伴う治療方法であって、先ず、歯肉縁下齲蝕歯について、直進するレーザー光を用いて硬軟両組織の鈍麻を行ない、次に、全周囲方向へ照射するレーザー光を用いて歯肉を切除し、最後に、同じく全周囲方向へ照射するレーザー光を用いて鈍麻させて齲蝕をエキスカベータで除去し、歯質に耐酸性を付与し充填する治療方法がある。
この治療方法において、齲蝕部に痛みがあるときは、全周囲方向へ照射するレーザー光を用いてその部位をスキャンするように照射することが好ましい。
【００１７】
更に、レーザー光の照射形状を先端から直進するレーザー光を前方のみならず全周囲方向へ照射するように光ファイバーの先端加工を伴う歯科用レーザー治療装置を用いて、金属ポストを除去する治療方法であって、先ず、タービンにて歯質と金属の境界部を明示し、次に、ポストの全周を歯質と金属の境界部に、スイッチで調整しながら全周囲方向へ照射するレーザー光を照射し、最後に、ポストの長さの半分まで光ファイバー（３）を到達させ、ポストを除去する治療方法がある。
【発明の効果】
【００１８】
上記構成の治療装置では、歯科治療に際して光ファイバー（３）の先端部分に、金属・金属酸化物細粒子の懸濁液を吐出部（７）から吐出することにより、光ファイバー（３）の先端形状を単純な細円筒形状を略切頭円錐形状に、更に略円錐形状に加工する。この懸濁液は、歯科治療の最中に、吐出部（７）に懸濁液供給部（８）から常時供給する。
先端形状が略切頭円錐形状又は略円錐形状に加工された光ファイバー（３）は、そこから出射するレーザー光は全周囲方向へ照射するようになる。例えば略球状の照射が可能になる。即ち、細円筒形状のときの前方へ直進するレーザー光と合わせて２種類の照射形状が可能になる。これにより、レーザー光の組織侵襲性をコントロールすることができる。即ち、Ｎｄ：ＹＡＧレーザーの特性である吸収と散乱を活かしながら、組織侵襲性をコントロールする。口腔内組織への熱的侵襲を抑制しながらレーザー光を歯科治療に利用することができる。
【００１９】
また、光ファイバー（３）の先端部分に吐出部（７）から懸濁液を流し続けることにより、この光ファイバー（３）の先端部分の熱蓄積を防止することができる。
更に、光ファイバー（３）の先端部分に、送気口からの冷却風を当てることにより、熱蓄積を防止することができる。
【００２０】
上記構成の加工方法では、光ファイバー（３）の先端部分に金属・金属酸化物細粒子（酸化チタン）の懸濁液を流しながら、この先端部分を略円錐形状、略切頭円錐形状に加工する。これにより、照射しているレーザー光で光ファイバー（３）の先端が徐々に損耗するが、常時その先端形状を略切頭円錐形状又は略円錐形状に効率良く加工することができる。
また、光ファイバー（３）の先端部分に流す金属・金属酸化物細粒子の懸濁液について、その濃度を可変することにより、光ファイバー（３）の先端部分の形状を調整することができる。濃度の高い、即ち金属・金属酸化物細粒子の重量含有率の高い懸濁液では、短時間に光ファイバー（３）の先端部分を略円錐形状に加工できる。逆に金属・金属酸化物細粒子の重量含有率の低い懸濁液では、徐々に光ファイバー（３）の先端部分を略円錐形状に加工できる。
【００２１】
上記構成の治療システムでは、歯科治療を行うレーザー光を生成するレーザー治療装置（１）と、出射するレーザー光の形状を調整するために光ファイバー（３）の先端部分を加工する光ファイバー先端部加工装置とを備えた。これにより、本来の光ファイバー（３）の先端部分から前方へ直進するレーザー光をのみならず、光ファイバー先端部加工装置により、光ファイバー（３）の先端形状を略円錐形状、略切頭円錐形状に加工して、全周囲方向へ照射し、周囲組織に対する効率的な照射が行える共に、不必要な熱エネルギーを抑制する。
【００２２】
また、光ファイバー先端部加工装置により熱蓄積を防ぐがことができ、懸濁液による光の散乱も生じるので、通常より高いパルス周波数（ｐｐｓ）でのレーザー光の使用が可能となる。懸濁液は効率よくレーザー光を反射し、切削・切開効果を高めることができる。更に、レーザー光の使用に際して従来のような反応剤を必要としない。
【００２３】
そこで、上記構成の治療システムを用いることにより、不必要な熱エネルギーの抑制等が可能となり、レーザー光の組織侵襲性をコントロールすることができる。これらの総合的な効果から、より効率的なレーザー光による殺菌、麻酔効果、細胞組織賦活作用効果を高めることができる。
【００２４】
上記構成の治療方法では、術中・術後に出血や痛みもなく齲蝕処置を行なうことができる。ポスト先端部はまだ維持力があるので、テックとして再利用できる。さらに根管治療においてもファイバー側方からの照射、懸濁液による散乱が伴うので効率の良い治療が可能となる。
【発明を実施するための最良の形態】
【００２５】
本発明の光ファイバーの先端加工を伴う歯科用レーザー治療装置は、レーザー光を出射する光源部と、光源部からのレーザー光を、被治療部へ導光する光ファイバーと、光ファイバーの先端部分に、その先端形状を略円錐形状、略切頭円錐形状に加工するために酸化チタンのような金属・金属酸化物細粒子の懸濁液を吐出する吐出部と、吐出部に懸濁液を供給する懸濁液供給部とを備えたものである。
【実施例１】
【００２６】
以下、本発明の好ましい実施の形態を図面を参照して説明する。
図１は実施例１の光ファイバーの先端加工を伴う歯科用レーザー治療装置を示す概略構成図である。図２は実施例１のハンドピース部分の拡大図である。
実施例１の光ファイバーの先端加工を伴う歯科用レーザー治療装置１は、レーザー光の光源部を内蔵した装置本体２、光ファイバー３のプローブ５を保持するハンドピース６、スイッチ類、金属・金属酸化物細粒子の懸濁液を吐出する吐出部７とポンプを内蔵した懸濁液供給部８を備えた治療装置である。スイッチ類は、装置本体２上面のスイッチパネル９と、治療中にレーザー光の出射を入り切りフットスイッチ等がある。スイッチパネル９において、後述するように、パルス幅（μｓ）、光ファイバー３の先端出力（ｋＷ）、エネルギー（ｍＪ）について調節する。
【００２７】
装置本体２内の光源部からレーザー光を出射する。実施例１の歯科用レーザー治療装置１は、主にＮｄ：ＹＡＧレーザー（Ｎｅｏ−ｄｙｍｉｕｍ：Ｙｔｔｒｉｕｍ、Ａｌｕｍｉｎｕｍ、Ｇａｒｎｅｔ）を用いた。このＮｄ：ＹＡＧレーザーは、波長特性による組織深達性が高く、深部組織温度が上昇しやすいという特徴を有する。なお、Ｎｄ：ＹＡＧレーザーは一例であって、その出力を調節することにより、他の種類のレーザー装置を使用することができる。
【００２８】
この装置本体２（光源部）からのレーザー光は、光ファイバー３ケーブル４で被治療部へ導光される。この光ファイバー３により導光されたレーザー光は術者が持つハンドピース６で治療部位に照射する。術者はハンドピース６を保持しつつ、スイッチを操作しながらレーザー光を治療部位に照射する。ハンドピース６にこの光ファイバー３の先端部分に冷却風を当てる送気口（図示していない）を設けることができる。
【００２９】
光ファイバー３のプローブ６部分における吐出部７は、光ファイバー３の先端形状を略円錐形状、略切頭円錐形状に加工するために金属・金属酸化物細粒子の懸濁液を吐出する部分である。懸濁液供給部８では、ポンプによりチューブ１０を通して、この吐出部７のノズルに懸濁液を供給する。吐出部７は、図示例のようにノズル方式の他に、光ファイバー３の先端部の周囲にリング状に形成し、多数開けた噴射孔から流し出す方式でもよい（図示していない）。レーザー光を出射中に容易に吐出し、停止できる構造であればよい。
【００３０】
この歯科用レーザー治療装置１は、レーザー光を歯科治療に使用している最中に、光ファイバー３の先端を加工する機能を有する。光ファイバー３の先端部分は、ここから出射するレーザー光と金属・金属酸化物細粒子の懸濁液で損耗する。このとき、その先端形状は略切頭円錐形状から略円錐形状に変形する。光ファイバー３の先端を金属・金属酸化物細粒子の懸濁液で加工することにより、レーザー光が前方だけでなく、側方にも照射するようになる。
【００３１】
この金属・金属酸化物細粒子の懸濁液は、例えば、光触媒としても利用されている酸化チタン（ＴｉＯ２）の細粒子を精製水に分散させた懸濁液である。酸化チタン（ＴｉＯ２）は食品添加物としても指定されており、ある条件では紫外域の光照射により殺菌性を発揮するという特徴がある。なお、酸化チタン（ＴｉＯ２）は水に不溶であり、容易に沈殿しやすい。そこで、エマルジョン化して水に分散させたものでもよい。このようにエマルジョン化された酸化チタン（ＴｉＯ２）の細粒子の懸濁液はＮｄ：ＹＡＧレーザー（１，０６４μｍ）の波長の光を最も効率よく散乱させることができる。
【００３２】
因みに、酸化チタン（ＴｉＯ２）の細粒子の懸濁液は、洗口剤として認可されている。また、酸化チタン（ＴｉＯ２）は、食品添加物としても指定されており、ある条件では紫外域の光照射により殺菌性を発揮するため、歯科領域でも使用されるようになっている。
【００３３】
金属・金属酸化物細粒子の懸濁液としては、酸化チタン（ＴｉＯ２）を一例にあげているが、これに限定されるものではない。この酸化チタン（ＴｉＯ２）はコストの面、安定性の面、更に安全性の面で実用的である。しかし、これ以外にも酸化亜鉛（ＺｎＯ）、酸化タングステン（ＷＯ３）、チタン酸ストロンチウム（ＳｒＴｉＯ３）等の金属酸化物半導体がある。なお、光ファイバー３の先端を加工する機能を有する物質であれば、金属・金属酸化物、酸化チタン（ＴｉＯ２）又は光触媒以外の物質も使用できる。
【００３４】
図３は光ファイバーの先端を加工する光ファイバーの先端加工方法を示し、（ａ）は加工前の光ファイバー先端部分の拡大図、（ｂ）はそのときのレーザー光の照射波形図である。図４は光ファイバーの先端を加工する光ファイバーの先端加工方法を示し、（ａ）は加工後の光ファイバー先端部分の拡大図、（ｂ）はそのときのレーザー光の照射波形図である。
実施例２の光ファイバーの先端を加工する光ファイバーの先端加工方法について説明する。図３（ａ）に示すように、加工前の光ファイバー３の先端形状は、円筒形状の状態にある。この光ファイバー３からレーザー光を照射すると、図３（ｂ）に示すように、レーザー光の照射波形は前方へ直進する形状になる。
次に、光ファイバー３の先端を加工すると、図４（ａ）に示すように、光ファイバーの先端形状は、略円錐形状に加工される。この光ファイバー３からレーザー光を照射すると、図４（ｂ）に示すように、レーザー光の照射波形は前方のみならず全周囲方向へ照射する形状になる。これで、レーザー光の組織侵襲性をコントロールできるようになる。
【００３５】
この光ファイバー３の先端部分を加工するときは、図２に示すように、レーザー光を出射している光ファイバー３の先端部分に金属・金属酸化物細粒子の懸濁液を流しながら照射する。このとき光ファイバー３の先端部分では、レーザー光で蓄熱した金属・金属酸化物細粒子が光ファイバー３の先端部分を溶融しながら変形している。その結果、光ファイバー３の先端部分は、略切頭円錐形状から略円錐形状に変形する。
【００３６】
本発明で使用した懸濁液供給部８は、例えばチューブ１０の寸法が、内径３．１５ｍｍ×外径５．２ｍｍで、流量範囲が５１〜９００ｍｌの定量送液ポンプから成る。
【００３７】
図５は金属・金属酸化物細粒子の懸濁液の濃度と光ファイバーの先端形状との関係を示す説明図であり、縦列の左から右へ順番に酸化チタン（ＴｉＯ２）懸濁液の重量濃度（％）、光ファイバーの先端形状の拡大図、レーザー光の照射波形図を示す。
光ファイバー３の先端形状と、吐出部７から流す懸濁液の濃度との関係について実験した結果を説明する。
図５（ａ）に示す懸濁液の重量濃度が１０％のときは、光ファイバー３先端の円筒形状の底面の周囲部分から溶融し、その形状は略切頭円錐形状になる。レーザー光の照射波形は前方の他に、周囲方向への照射域が加わる程度であった。
図５（ｂ）に示す懸濁液の重量濃度が１３．３％のときは、光ファイバー３先端の円筒形状の底面の周囲部分から溶融し、その形状は略切頭円錐形状になる。レーザー光の照射波形は前方への照射域が弱くなり、周囲方向への照射域が多くなった。
図５（ｃ）に示す懸濁液の重量濃度が２０％のときは、光ファイバー３の先端形状は円筒形状の底面の周囲部分から溶融し、その形状は略切頭円錐形状になる。レーザー光の照射波形は球体に近くなるが、一部前方への照射が残った。
図５（ｄ）に示す懸濁液の重量濃度が４０％のときは、光ファイバー３の先端形状は完全な円錐形状になる。レーザー光の照射波形は前方への照射はなく、全周囲方向のみの照射となった。
上記実験の結果、重量濃度が１３．３％の懸濁液を流し続けることにより、光ファイバー３の先端形状を略円錐形状に加工できることが分かった。
【００３８】
上述したように、本来のレーザー光を出射するレーザー治療装置１と、光ファイバーを加工する光ファイバー先端部加工装置とから成る、光ファイバーの先端加工を伴う歯科用レーザー治療システムが構成される。この治療システムにより、光ファイバー３の先端形状を略円錐形状、略切頭円錐形状に加工して、全周囲方向へ照射し、周囲組織に対する効率的な照射が行える共に、不必要な熱エネルギーを抑制することができる。
【００３９】
また、光ファイバー先端部加工装置により熱蓄積を防ぐことができ、懸濁液による光の散乱も生じるので、通常より高いパルス周波数（ｐｐｓ）でのレーザー光の使用が可能となる。懸濁液は効率よくレーザー光を反射し、切削・切開効果を高めることができる。更に、レーザー光の使用に際して従来のような反応剤を必要としない。
【００４０】
図６はレーザー光の光作用についての基本的な説明図である。
レーザー光の光作用は、図６に示すような基本的な性質を有する。横軸の相互作用時間（ｓ）はパルス幅を意味し、１０−６（１μｓ）を境にレーザー光の光作用が分かれる。縦軸のパワー密度（Ｗ／ｃｍ２）はレーザー光の出力密度を意味する。パルス幅が１０−６（１μｓ）より短いときは、パワー密度が弱い段階（図示上の下方）から強い段階（図示上の上方）へ向けて「非熱効果」、「機械的作用」、「光熱効果」、「アブレーション」、「プラズマ誘起」、「光破壊」という作用がある。
【００４１】
一方、パルス幅が１０−６（１μｓ）より長いときは、パワー密度が弱い段階から強い段階へ向けて「熱効果」、「光化学作用」、「光音響効果」、「光アブレーション」、「光破壊」という作用がある。
本発明は基本的にこれらのレーザー光の光作用の性質を有効に利用したものである。特に縦軸の１０−６と１０−３の間の矢視線のレーザー光の光作用が歯科治療に適していることが分った。
【００４２】
図７はパルス幅の波形を示す模式図である。
レーザー治療装置１では、図７に示すように、レーザー光のパルス幅を可変して被治療部へ出射する。例えば、２００ｍＪのパルスエネルギーを使う際にも、５０μｓのパルス幅を用いれば熱影響のコントロールが容易になる。また、４００ｍＪ、８００ｍＪのパルスエネルギーを用いる場合でも、パルス幅の選択が可能である。
パルス幅が変わるということは、熱蓄積とサーマルリラクゼーションの関係を変えることになり、臨床的にはパルス周波数を変えるこになる。従って熱蓄積を期待したい場合は、パルス幅の大きい２００μｓや、更には４００μｓを用い、逆に熱的侵襲を小さくしたい場合は、パルス幅の小さい１００μｓないし５０μｓを使用する。なお、数１はパルスエネルギーの計算式である。
【００４３】
【数１】
2010068880.tif 000003
【００４４】
図８はパルス幅の違いによる変化を示す説明図である。
図８に示すように、５０μｓと４００μｓのパルス幅の長さは、たとえば８分音符と全音符のような違い、つまり８倍の違いがあることから、この機能の活用により臨床に応用の幅が広がることになる。
【００４５】
図９は本発明の治療システムを用いるレーザー光に関するモードの一覧表である。図１０は治療歯の状態を示す模式図であり、（ａ）は歯周病、（ｂ）は瘻孔内照射（閉鎖空間）及び（ｃ）はコア・ポストである。
本発明の治療システムでは、図示のモード一覧表に示すように、上段のモード１からモード２、モード３、モード４、モード５までの５つの照射条件の下、口腔の硬軟両組織に対応し得るモードが設定されている。即ち従来の二次元的設定から、パルス幅の可変という三次元的な応用が可能となっている。図示上「角が丸い四角枠」内は、加工前の光ファイバーを示す。即ち、レーザー光の照射が前方のみを示す。「四角枠」内は、加工後の光ファイバーを示す。即ち、レーザー光の照射が全周囲方向へ照射することを示す。「二重の四角枠」内は閉鎖空間ゆえの熱の蓄積とｐｐｓに注意することをそれぞれ示している。
【００４６】
上から一段目のモード１（５０μｓ、２００ｍＪ、２５ｐｐｓ）は、レーザー光の照射による侵襲作用が小さいモードである。光ファイバー３の先端を加工して、組織侵襲性をコントロールしたレーザー光を、主に熱ダメージがない「歯肉切開」に利用する。
【００４７】
二段目のモード２（１００μｓ、２００ｍＪ、１０ｐｐｓ）は、レーザー光の照射による侵襲作用がやや大きいモードである。光ファイバー３の先端を加工し、全周囲方向へ照射するようにして組織侵襲性をコントロールしたレーザー光を、「Ｃ，ＨＹＳ処」（齲蝕歯・知覚過敏）の鈍麻処置、根管治療（ＲＣＴ）（閉鎖空間）、Ｐ処の歯肉縁上（歯周病の歯肉縁上（開放空間）の治療）、口内炎、歯肉切開又は瘻孔内照射（閉鎖空間）に利用する（図１０（ａ），（ｂ）参照）。
【００４８】
三段目のモード３（１００μｓ、３００ｍＪ、１０ｐｐｓ）は、レーザー光の照射による侵襲作用が中間のモードである。光ファイバー３の先端を加工し、全周囲方向へ照射するようにして組織侵襲性をコントロールしたレーザー光を、「Ｃ，ＨＹＳ処」の鈍麻処置、Ｐ処の縁下（開放空間）に利用する。
【００４９】
四段目のモード４（２００μｓ、３００ｍＪ、１０ｐｐｓ）は、レーザー光の照射による侵襲作用が次に大きいモードである。加工前の光ファイバー３の先端を用いるときは、「Ｃ，ＨＹＳ処」に用いる。このときは更なる細管封鎖を期待してレーザー光を利用する。
一方、「ＨＹＳ」、「止血作用」、「痛みの強い口内炎」又は「疼痛の緩解」のときは、光ファイバー３の先端を加工して、組織侵襲性をコントロールしたレーザー光を照射する。
【００５０】
五段目のモード５（４００μｓ、５５０ｍＪ、１０ｐｐｓ）は、レーザー光の照射による侵襲作用が大きいモードである。加工前の光ファイバー３を用いるときは、「コア・ポストの除去」（金属支台の除去）に用いる（図１０（ｃ）参照）。なお、「止血作用」のときは、光ファイバー３の先端を加工し、組織侵襲性をコントロールしたレーザー光を照射する。
【００５１】
このように本発明の治療システムを用いることにより、不必要な熱エネルギーの抑制等が可能となり、レーザー光の組織侵襲性をコントロールすることができる。これらの総合的な効果から、より効率的なレーザー光による殺菌、麻酔効果、細胞組織賦活作用効果を高めることができる。
【００５２】
次に、本発明の光ファイバーの先端加工を伴う歯科用レーザー治療装置、その先端加工方法及びその治療システムを用いた臨床応用について説明する。
［保存・補綴］
本発明の光ファイバーの先端加工を伴う歯科用レーザー治療装置１、治療システムを保存・補綴の治療に利用するときは、次のように使用する。
齲蝕（う蝕）処置では、従来はレーザーによる齲蝕処置は無痛的に切削することに主眼が置かれていた。液状の吸収散乱剤を熱疼痛抑制のための冷却を兼ね噴霧しつつレーザー照射を行い高温と衝撃波による殺菌を期待した。なお、齲化した象牙質を凝収させ除去する。レーザー照射により齲化を除去した象牙質表面は高温により象牙細管が溶融封鎖される。レーザー切削よりも更に除去歯質を少なくすることが期待できる。
インレー除去では、切削除去することなく、また無麻酔下にてレーザー照射時に液状の吸収散乱剤を噴霧し、反応時の衝撃波により歯質とインレーの接着層を破壊し除去が可能である。連続的に除去後の歯質へレーザー照射を行い二次齲蝕処置も同時に可能である。
口腔内溶接では、異種金属同士でも高いエネルギー、広いパルス幅を利用し、瞬時に溶着可能である。ただし暫間的な固定として使用できる。
圧排のときは、極短パルスモードを利用し無麻酔下にて非観血的に軟組織の蒸散、切開が可能である。即時印象が実現できる。
【００５３】
［歯肉縁下齲蝕（失活歯）で歯肉の切除が必要なケース］
本発明の光ファイバーの先端加工を伴う歯科用レーザー治療装置１、治療システムを歯肉縁下齲蝕（失活歯）で歯肉の切除が必要な治療に利用するときは、次のように使用する。無麻酔下で治療するために、軟組織に対しては、パルス幅を小さくして熱的侵襲を抑えることができる。
先ず、図９に示すモード３（１００μｓ、１０ｐｐｓ、３００ｍＪ）で鈍麻を行なう。続いて、モード１（５０μｓ、２５ｐｐｓ、２００ｍＪ）で歯肉を切除する。このときは、光ファイバー３を加工して、組織侵襲性をコントロールしてレーザー光を照射する。
次に、モード１で歯肉切除と歯周ポケット内の殺菌を行なう。このときも、光ファイバー３を加工し、組織侵襲性をコントロールしてレーザー光を照射する。
術中・術後に出血や痛みもなく齲蝕処置が行なえる。即日充填することができる。
【００５４】
［歯肉縁下齲蝕（生活歯）で歯肉の切除が必要なケース］
本発明の光ファイバーの先端加工を伴う歯科用レーザー治療装置１、治療システムを歯肉縁下齲蝕（生活歯）で歯肉の切除が必要な治療に利用するときは、次のように使用する。無麻酔下で治療するために、軟組織に対しては、パルス幅を小さくして熱的侵襲を抑える。
先ず、図９に示すモード３（１００μｓ、１０ｐｐｓ、３００ｍＪ、２９ｓｅｃ）で硬軟両組織の鈍麻を行なう。
モード１（５０μｓ、２５ｐｐｓ、２００ｍＪ、１６ｓｅｃ）で歯肉を切除する。
切開後に、鈍麻させて齲蝕をエキスカベータで除去，歯質に耐酸性を付与し充填する。
なお、齲蝕部に痛みのある場合は、再度モード３でその部位をスキャンするように照射する。
【００５５】
［金属ポストの除去］
本発明の光ファイバーの先端加工を伴う歯科用レーザー治療装置１、治療システムを金属ポスト（コア・ポスト）の除去に利用するときは、次のように使用する（図１０（ｃ）参照）。
金属ポストの除去にはパルス幅を大きくし、熱的効果を増大させる。先ず、タービンにて歯質と金属の境界部を明示する。
このときは、図９に示すモード５（４００μｓ、５５０ｍＪ、１０ｐｐｓ）の出力に上げて用いる。ポストの全周を歯質と金属の境界部にフットスイッチで調整しながらレーザー光を照射する。トータル時間で約１１０ｓｅｃ照射する。
ポストの長さの半分まで光フィーバー３が到達すればポストは容易に除去できる。
ポスト先端部はまだ維持力があるので、テックとして再利用できる。特に、根管治療においても光ファイバー３側方から照射し、懸濁液による散乱が伴うので効率の良い治療が可能となる。
【００５６】
［小児歯科］
本発明の光ファイバーの先端加工を伴う歯科用レーザー治療装置１、治療システムを小児歯科に利用するときは、次のように使用する。
耐酸性付与では、小窩裂溝部、隣接面、辺縁部など齲蝕の発生し易い部位へ本発明のレーザー照射を行い、フッ素を作用させることにより耐酸性を１０倍程度まで向上させることが可能になる。
齲蝕進行抑制では、ＣＯ、Ｃｌ程度の齲蝕に対し歯質を削ること無く本発明のレーザー照射とフッ素塗布を併用することにより再石灰化を促す。平滑面の白濁などには効果が大きい。
乳歯抜歯では、浸潤麻酔をすることなく本発明のレーザー鈍麻効果と極短パルスモードによる靭帯蒸散を行い、出血を抑制しつつ抜歯が可能になる。
小帯切除では、浸潤麻酔をすることなく本発明のレーザー鈍麻効果と極短パルスモードによる小帯切除が非観血的に可能になる。
【００５７】
［歯周病］
本発明の光ファイバーの先端加工を伴う歯科用レーザー治療装置１、治療システムを歯周病に利用するときは、次のように使用する。
歯石除去では、スケーリング、ルートプレーニング前に本発明のレーザー照射を行うことにより歯石の脆弱化、知覚鈍麻、生体毒素の失活化、予備的な止血、血流改善による免疫力向上、高温（２０００℃以上）による殺菌効果が期待できる。
抜歯では、歯肉表面に吸収剤を混濁した表面麻酔薬を塗布し、本発明のレーザー照射を行い、その後靭帯組織を蒸散させ出血を抑制しつつ抜歯が可能になる。
【００５８】
［歯内療法］
本発明の光ファイバーの先端加工を伴う歯科用レーザー治療装置１、治療システムを歯内療法に利用するときは、次のように使用する。
根管治療するときは、根管形成を行った後、根充前に本発明のレーザー照射を行うことにより、高温と衝撃波による殺菌効果が期待できる。
ポストを除去するときは、残存歯質が脆弱とみなされるときでも本発明のレーザー照射時に液状の吸収散乱剤を噴霧し、反応時の衝撃波により歯質とポストの接着層を破壊し除去が可能になる。
破折リーマーを除去するときは、本発明のレーザー照射時に水を供給することにより、レーザーにより破壊されたリーマーを水中に乳化拡散させることにより除去が可能になる。
フィステルするときは、唇側より本発明のレーザー照射による鈍麻、蒸散作用を利用し、フィステルに光ファイバー３を侵入させ、その後根尖病巣部より光ファイバー３を引き抜くときにレーザー照射を数回繰り返す。レーザー照射時の高温による殺菌と細胞賦活作用に期待できる。
【００５９】
［審美歯科］
本発明の光ファイバーの先端加工を伴う歯科用レーザー治療装置１、治療システムを審美歯科に利用するときは、次のように使用する。
メラニンを除去するときは、光ファイバー３の先端を懸濁液で加工することにより、全周囲方向へ照射するレーザー光を使用する。これを利用して歯肉表面を撫でるようにしてピーリング処置を行い、無麻酔下で歯周メラニンの除去が可能になる。
知覚過敏の治療では、ホワイトニング後に高頻度で発現する知覚過敏を緩和するためにホワイトニング後、積極的にレーザー照射を行い高温による象牙細管封鎖を行うことができる。レーザー照射後にフッ素をイオン導入すると効果が向上し、後戻り（着色）を抑えることもできる。
【００６０】
［矯正歯科］
本発明の光ファイバーの先端加工を伴う歯科用レーザー治療装置１、治療システムを矯正歯科に利用するときは、次のように使用する。
ブラケット装着するときに、事前に矯正ブラケット接着面に本発明のレーザー光を照射する。これにより、フッ素塗布による耐酸性を持たせ、矯正治療中の齲蝕リスクを軽減させることが可能になる。また金属クラウンなどには直接ブラケットをレーザー溶接により装着することが可能になる。
移動時の疼痛緩和するときは、矯正中の移動痛を根尖部に対して外部より本発明のレーザー光を照射して緩和し、結果として早期の移動が期待できる。
【００６１】
なお、本発明は上述した発明の実施の形態に限定されず、光ファイバー３の先端を治療と同時に加工することで、光ファイバー３の先端から直進するレーザー光を前方のみならず全周囲方向へ照射し、周囲組織に対する効率的な照射が行える共に、更に不必要な熱エネルギーを抑制することができ、組織侵襲性をコントロールして口腔内の硬軟両組織の治療に用いることができれば、図示したような構成に限定されず、本発明の要旨を逸脱しない範囲で種々変更できることは勿論である。
【産業上の利用可能性】
【００６２】
本発明の光ファイバーの先端加工を伴う歯科用レーザー治療装置、その先端加工方法及びその治療システムは、歯科治療は勿論のこと医科手術等の様々な用途に利用することができる。
【図面の簡単な説明】
【００６３】
【図１】実施例１の光ファイバーの先端加工を伴う歯科用レーザー治療装置を示す概略構成図である。
【図２】実施例１のハンドピース部分の拡大図である。
【図３】光ファイバーの先端を加工する光ファイバーの先端加工方法を示し、（ａ）は加工前の光ファイバー先端部分の拡大図、（ｂ）はそのときのレーザー光の照射波形図である。
【図４】光ファイバーの先端を加工する光ファイバーの先端加工方法を示し、（ａ）は加工後の光ファイバー先端部分の拡大図、（ｂ）はそのときのレーザー光の照射波形図である。
【図５】金属・金属酸化物細粒子の懸濁液の濃度と光ファイバーの先端形状との関係を示す説明図であり、縦列の左から右へ順番に酸化チタン（ＴｉＯ２）懸濁液の重量濃度（％）、光ファイバーの先端形状拡大図、レーザー光の照射波形図を示す。
【図６】レーザー光の光作用についての説明図である。
【図７】パルス幅の波形を示す模式図である。
【図８】パルス幅の違いによる変化を示す説明図である。
【図９】本発明の治療システムを用いるレーザー光に関するモードの一覧表である。
【図１０】治療歯の状態を示す模式図であり、（ａ）は歯周病、（ｂ）は瘻孔内照射（閉鎖空間）及び（ｃ）はコア・ポストである。
【符号の説明】
【００６４】
１  歯科用レーザー治療装置
２  装置本体
３  光ファイバー
４  ケーブル
５  プローブ
６  ハンドピース
７  吐出部
８  懸濁液供給部
９  スイッチパネル
１０  チューブ
【図１】
2010068880.tif 000004
【図２】
2010068880.tif 000005
【図３】
2010068880.tif 000006
【図４】
2010068880.tif 000007
【図５】
2010068880.tif 000008
【図６】
2010068880.tif 000009
【図７】
2010068880.tif 000010
【図８】
2010068880.tif 000011
【図９】
2010068880.tif 000012
【図１０】
2010068880.tif 000013